(57)【特許請求の範囲】
【請求項１】
配達受領票と明細票と貼付票とが順に折り用ミシン目を介して連接してなり、前記折り用ミシン目により配達受領票の表面を表出するようにしてＺ状に折り畳んだ際の重ね合わせ面に分離可能な重ね合わせ手段を有してなるとともに、前記貼付票は、前記Ｚ状に折り畳んだ際に表出するサイズからなり、貼付票の裏面側が貼着面としてなる配送票であって、
前記重ね合わせ手段は、前記折り用ミシン目によりＺ状に折り畳んだ際の前記配達受領票と前記明細票の重ね合わせ面それぞれにおける前記折り用ミシン目に近接してこの折り用ミシン目から重ね合わせ面の内側に寄った位置で折り用ミシン目と平行にして穿設された切り取りミシン目と、Ｚ状に折り畳んだ際の配達受領票と明細票と貼付票の重ね合わせ面それぞれにおける前記折り用ミシン目と前記切り取りミシン目との間の領域に対応位置する重ね合わせ面に設けられた接着剤とからなるものであり、
前記重ね合わせ手段の間の重ね合わせ面は接着剤非存在の状態とされていることを特徴とする配送票。
【発明の詳細な説明】
【０００１】
【発明の属する技術分野】
本発明は配送物の内容を示すことができるようにした明細票を備える配送票に関するものである。
【０００２】
【発明が解決しようとする課題】
従来、配送物を配送するシステムにおいては、受取人の住所氏名などの受取人情報を記載した貼付票を配送物に貼着し、その貼付票に記載されている受取人情報に基づいて配送作業者が配送物を取り扱うようにしている。そして、配送物の荷姿が段ボール箱などに包まれたものとなっていることが多く、受取人側で配送物の内容などを受取りの時点や配送物の梱包を解く前に知りたいとの要望もあることから、その配送物の商品名や商品個数などの情報を記載した明細票を別個に作成してこの明細票とともに配送物を届けるようにしている。
ところで、配送物に貼着する貼付票と明細票とが上述したように別々に作成され、そして、配送物発送の時点から納品までの間で貼付票を貼着した配送物と明細票との対応付けを確実なものとするために、前記明細票が配送物の表に貼着するなどして一体のものとしている。しかし、このように明細票を配送物の表に取り付けているとその明細票に記載されている内容が第三者の目に付き易くなり、受取人側のプライバシーを損ねる可能性があった。また、前記明細票を配送物と対応付けながらもその配送物に取り付けずに別個に取り扱うようにする場合には、配送物と明細票との突き合わせ確認が配送業務の各段階で頻繁に生じ、その確認作業が非常に煩雑になるともに、配送物が多くなると、配送物と明細票とのマッチングミスが生じ易くなるという問題があった。
そこで、本発明は上記事情に鑑み、明細書と貼付票とが一体的に作成されるようにするとともに、配送物に配送票を貼着する時点では明細票の情報が第三者の目に付かないようにすることを課題とし、明細票の情報を隠蔽するとともに、配送物と明細票とのマッチングミスを解消することを目的とする。
【０００３】
【課題を解決するための手段】
そこで、本発明は上記課題を考慮してなされたもので、配達受領票と明細票と貼付票とが順に折り用ミシン目を介して連接してなり、前記折り用ミシン目により配達受領票の表面を表出するようにしてＺ状に折り畳んだ際の重ね合わせ面に分離可能な重ね合わせ手段を有してなるとともに、前記貼付票は、前記Ｚ状に折り畳んだ際に表出するサイズからなり、貼付票の裏面側が貼着面としてなる配送票であって、前記重ね合わせ手段は、前記折り用ミシン目によりＺ状に折り畳んだ際の前記配達受領票と前記明細票の重ね合わせ面それぞれにおける前記折り用ミシン目に近接してこの折り用ミシン目から重ね合わせ面の内側に寄った位置で折り用ミシン目と平行にして穿設された切り取りミシン目と、Ｚ状に折り畳んだ際の配達受領票と明細票と貼付票の重ね合わせ面それぞれにおける前記折り用ミシン目と前記切り取りミシン目との間の領域に対応位置する重ね合わせ面に設けられた接着剤とからなるものであり、前記重ね合わせ手段の間の重ね合わせ面は接着剤非存在の状態とされていることを特徴とする配送票を提供して、上記課題を解消するものである。
【０００４】
【発明の実施の形態】
本発明を図４と図５に示す実施の形態に基づいて詳細に説明する。
まず、本発明をなすに至った基礎となる技術が図１から図３に示されている。これを説明すると、図中１は配送票で、該配送票１は図１に示されているように、配達受領票２と明細票３と貼付票４とが順位に折り用ミシン目５を介して横一連にして連接されているものである。前記三票２、３、４の同一片面側が情報を記載する面として構成されていて、配達受領票２にあっては、受取人住所氏名などの情報を記載した配達情報記載部６と受領印などを受ける受領確認部７とが設けられ、明細票３にあっては、配送物の商品名や個数などの情報を記載する明細情報記載部８が設けられ、そして、貼付票４にあっては、受取人住所氏名などの情報を記載する受取人情報記載部９が設けられている。
また、上記貼付票４にあっては、後述するようにこの配送票１を折り重ねたときに上位となる配達受領票２や明細票３で隠されずに一部分が表出するようにした大きさに設定されており（図３参照）、この表出することになる部分に上記受取人情報記載部９が配置されている。
【０００５】
この配送票１は上記折り用ミシン目５により配達受領票２の表面を表出するようにしてＺ状に折り畳むことができるように設けられていて、このＺ状の折り畳みによって上記明細票３が配達受領票２と貼付票４との間に位置するようになり、その明細票３の明細情報記載部８が隠蔽されるようにしている。そして、この配送票１において、折り用ミシン目５により配達受領票２の表面、即ち、上記配送情報記載部６と受領確認部７とを表出するようにしてＺ状に折り畳んだ際の重ね合わせ面１０が剥離可能に重なるようにしていて、再剥離再接着可能となるように調整した弱接着力の接着剤１２ａを塗布してなる重ね合わせ手段１２がＺ折りしたときの対向する重ね合わせ面１０の内の少なくとも一方の重ね合わせ面１０に設けられている。
【０００６】
上述したように貼付票４においては明細票３を間にした状態で配達受領票２が折り重ねられたときに表出する部分に受取人情報記載部９が設けられているが、上記Ｚ折りしたときに隠れることになる部分には定型的な広告文や通知情報を予め記載した通知情報記載部１１が設けられていて、この通知情報記載部１１は貼付票４における重ね合わせ面１０の内部に位置するようにしている。
また、この貼付票４においては、配送物に貼着できるように対向する二辺側に帯状の貼着面１３を備え、この貼着面１３を剥離紙で覆っている。
【０００７】
上記構造の配送票１は三票２、３、４が連接されて展開している状態で、配送情報記載部６と明細情報記載部８と受取人情報記載部９とのそれぞれに情報がプリンタを用いて一度に印字出力するようにする。明細票３の明細情報記載部８は重ね合わせ面１０に含まれて上記重ね合わせ手段１２に覆われている場合があるが、その重ね合わせ手段１２の上から明細情報記載部８に情報が印字出力できるように設けられているものである。このようにして、各記載部６、８、９に情報が印字出力された後にこの配送票１を折り用ミシン目５によりＺ状に折り畳んで重ね合わせ面１０の重ね合わせ手段１２を介して三票２、３、４とを貼り合わせる。そして、貼付票４の貼着面１３を表出させ、図２に示すようにこの貼着面１３を介して配送票１を配送物１４に貼着する。このように明細票３が配達受領票２と貼付票４との間に位置するように配送票１をＺ状に折り畳んで配送物１４に貼着するため、配送物１４にこの配送票１を取り付けた時点ではその明細票３の明細情報記載部８が外部に表れず、その明細情報記載部８に出力印字された情報は、明細票３と貼付票４との間を開かない限り見ることができないものとなる。
配送物の配送過程では上記配達受領票２を明細票３から引き剥がして上記折り用ミシン目５から分離して取り扱われ、納品の際に受領確認部７に受領印などをもらうことになるが、この時点でも明細票３の明細情報記載部８のある重ね合わせ面１０が貼付票３における通知情報記載部１１のある重ね合わせ面１０と重ね合わされているため、明細情報記載部に記載されている情報が隠蔽されており、受取人側でこの明細票３を引き剥ぐようにすることで明細情報記載部８が表れてその情報を見ることができる。
なお、この基礎技術において、重ね合わせ手段１２を形成する接着剤を弱接着力のものとしたが、所要の圧力を加えることで接着面相互が剥離可能にして再接着困難に接合し合う接着剤を用いるようにしてもよく、所要個所が上述のように剥離して分離できるものであれば、接着剤の種類、接着手法は限定されないものとしていた。
【０００８】
上記基礎技術では、配送票１をＺ状に折り畳んだ後に必要部分を分離できるようにするための重ね合わせ手段１２を、Ｚ状に折り畳んだときに対向する重ね合わせ面１０の少なくとも一方に塗布した弱接着力の接着剤から設けていた。これに対する本発明を図４と図５に示している。本発明にあっては切り取りミシン目と接着剤とによって重ね合わせ手段１２を構成していて、上記基礎技術とでは弱接着力の接着剤を用いていない点で異なるものである。図３に示されているように、配送票１を折り用ミシン目５によりＺ状に折り畳んだ際の配達受領票２と明細票３の重ね合わせ面１０において、折り用ミシン目５に近接して対応位置することになる個所、即ち、重ね合わせ面１０の辺部から内側に寄った位置に前記折り用ミシン目５と平行にして切り取りミシン目１５が穿設されている。さらに、三票２、３、４の重ね合わせ面１０それぞれにおいて、Ｚ状に折り畳んだ際にその折り用ミシン目５側に対応位置する重ね合わせ面１０ａに通常の状態では接着力を呈さず加圧などの接着条件によって剥離困難な接着力を呈するようになる接着剤１６が設けられており、この切り取りミシン目１５と接着剤１６とで重ね合わせ手段１２を得ている。そして、Ｚ状に配送票１を折り畳み所要の接着条件を付与することで前記重ね合わせ手段１２の接着剤１６に接着力を生じさせ、上記明細票３が配達受領票２と貼付票４との間に位置するようにする。このようにすることで、配送票１を配送物に貼着した後には、前記切り取りミシン目１５と接着剤１６とによって構成された重ね合わせ手段１２によって所要時に配達受領票２を分離でき、また、その配達受領票２の分離後に受取人側で明細票３を重ね合わせ手段１２によって分離できるようにしているものである。勿論、配達受領票２の配達情報記載部６と受領確認部７とは対向する重ね合わせ手段１２の間にあり、また、明細票３における明細情報記載部８も対向する重ね合わせ手段１２の間に位置していて、図示されているように重ね合わせ手段１２の間の重ね合わせ面は接着剤非存在の状態とされている。
【０００９】
【発明の効果】
以上説明したように、本発明の配送票によれば、配達受領票と明細票と貼付票とが順に折り用ミシン目を介して連接してなり、前記折り用ミシン目により配達受領票の表面を表出するようにしてＺ状に折り畳んだ際の重ね合わせ面に分離可能な重ね合わせ手段を有してなるとともに、前記貼付票は、前記Ｚ状に折り畳んだ際に表出するサイズからなり、貼付票の裏面側が貼着面としてなる配送票であって、前記重ね合わせ手段は、前記折り用ミシン目によりＺ状に折り畳んだ際の前記配達受領票と前記明細票の重ね合わせ面それぞれにおける前記折り用ミシン目に近接してこの折り用ミシン目から重ね合わせ面の内側に寄った位置で折り用ミシン目と平行にして穿設された切り取りミシン目と、Ｚ状に折り畳んだ際の配達受領票と明細票と貼付票の重ね合わせ面それぞれにおける前記折り用ミシン目と前記切り取りミシン目との間の領域に対応位置する重ね合わせ面に設けられた接着剤とからなるものであり、前記重ね合わせ手段の間の重ね合わせ面は接着剤非存在の状態とされていることを特徴とするものである。このように、配達受領票と明細票と貼付票とが連接されていることから、プリンタなどにより所要の情報を印字出力することで一度に配達受領票と明細票と貼付票とを連続させた状態で発行できるようになり、明細票と貼付票とを別々に作成していた場合の突き合わせ確認が不要になり、また、明細票と貼付票とが一体となっているため、別々であったことによる煩雑さを解消できる。そして、Ｚ状に折り畳んで明細票の情報を外部から見えることなく隠蔽した状態にして配送物に配送票を取り付けることができ、配送物に関する受取人側のプライバシーを守ることが簡単に行なえるようになるなど、実用性に優れた効果を奏するものである。
【図面の簡単な説明】
【図１】  本発明の基礎技術の配送票の一例を示すもので、（イ）は一方の片面を示す説明図、（ロ）は他方の片面を示す説明図である。
【図２】  基礎技術の貼付状態を断面で示す説明図である。
【図３】  基礎技術の折り畳み状態を示す説明図である。
【図４】  本発明の一例を示すもので、（イ）は一方の片面を示す説明図、（ロ）は他方の片面を示す説明図である。
【図５】  本発明の一例の貼付状態を断面で示す説明図である。
【符号の説明】
１…配送票
２…配達受領票
３…明細票
４…貼付票
５…折り用ミシン目
６…配達情報記載部
７…受領確認部
８…明細情報記載部
９…受取人情報記載部
１０…重ね合わせ面
１１…通知情報記載部
１２…重ね合わせ手段
１３…貼着面
１４…配送物
１５…切り取りミシン目
１６…接着剤
【図１】
0003794013.tif 000002
【図２】
0003794013.tif 000003
【図３】
0003794013.tif 000004
【図４】
0003794013.tif 000005
【図５】
0003794013.tif 000006